(57)【要約】【課題】１台の無線通信機が複数のグループの無線通信機とＴＤＭＡ方式を用いて通信する場合に、コールバックを適切に行うことができる無線通信機を提供する。【解決手段】受信部（送受信部２）は、１つのフレームが複数のタイムスロットで構成され、各タイムスロットは宛先グループを示す１つ以上の宛先グループＩＤを含み、１つのフレームが複数の宛先グループＩＤを含む第１フレームデータを受信する。記憶部（ＲＡＭ１ａ）は、第１フレームデータに含まれる複数の宛先グループＩＤを記憶する。制御部１は、コールバックの際に、１つのフレームが複数のタイムスロットで構成され、各タイムスロットは宛先グループを示す１つ以上の宛先フィールドを含み、１つのフレームが複数の宛先フィールドを含む第２フレームデータを生成する。送信部（送受信部２）は、第２フレームデータを送信する。【選択図】図２
2020155943.tif 000002
【特許請求の範囲】
【請求項１】
１つのフレームが複数のタイムスロットで構成され、各タイムスロットは宛先グループを示す１つ以上の宛先グループＩＤを含み、１つのフレームが複数の宛先グループＩＤを含む第１フレームデータを受信する受信部と、
前記第１フレームデータに含まれる複数の宛先グループＩＤを記憶する記憶部と、
コールバックの際に、１つのフレームが複数のタイムスロットで構成され、各タイムスロットは宛先グループを示す１つ以上の宛先フィールドを含み、１つのフレームが複数の宛先フィールドを含む第２フレームデータを生成する制御部と、
前記第２フレームデータを送信する送信部と、
を備え、
前記制御部は、前記記憶部に記憶された複数の宛先グループＩＤそれぞれを、前記第２フレームデータに含まれる複数の宛先フィールドに設定する
無線通信機。
【請求項２】
前記記憶部は、２以上のｎ個の宛先グループＩＤを記憶し、
前記第２フレームデータは、１つフレームが前記ｎ個のタイムスロットで構成され、各タイムスロットは１つの宛先フィールドを含み、
前記制御部は、前記記憶部に記憶された前記ｎ個の宛先グループＩＤそれぞれを、前記ｎ個のタイムスロットの宛先フィールドに設定する
請求項１に記載の無線通信機。
【請求項３】
前記記憶部は、２以上のｎ個の宛先グループＩＤを記憶し、
前記第２フレームデータは、１つフレームが前記ｎ個のタイムスロットで構成され、各タイムスロットは前記ｎ個の宛先フィールドを含み、
前記制御部は、前記記憶部に記憶された前記ｎ個の宛先グループＩＤそれぞれを、各タイムスロットに含まれる前記ｎ個の宛先フィールドに設定し、かつ各タイムスロットの先頭の宛先フィールドが異なる宛先グループＩＤとなるように設定する
請求項１に記載の無線通信機。
【請求項４】
前記第１フレームデータには、さらに移動局ＩＤが含まれ、
前記記憶部は、前記第１フレームデータに含まれる移動局ＩＤをさらに記憶し、
前記制御部は、前記記憶部に記憶された複数の宛先グループＩＤそれぞれを前記第２フレームデータの一部のスロットの宛先フィールドに設定し、前記記憶部に記憶された移動局ＩＤを前記第２フレームデータの他のスロットの宛先フィールドに設定する
請求項１に記載の無線通信機。
【請求項５】
ユーザからの操作を受け付ける操作部と、
前記受信部が受信を終了した後に起動されるタイマと、
をさらに備え、
前記制御部は、前記タイマが満了する前に前記操作部が操作されると、コールバックの操作が行われたと判定し、前記第２フレームデータを生成する
請求項１〜４のいずれか１項に記載の無線通信機。
【請求項６】
無線通信機のコンピュータに、
１つのフレームが複数のタイムスロットで構成され、各タイムスロットは宛先グループを示す１つ以上の宛先グループＩＤを含み、１つのフレームが複数の宛先グループＩＤを含む第１フレームデータを受信する受信ステップと、
前記第１フレームデータに含まれる複数の宛先グループＩＤを記憶する記憶ステップと、
コールバックの際に、１つのフレームが複数のタイムスロットで構成され、各タイムスロットは宛先グループを示す１つ以上の宛先フィールドを含み、１つのフレームが複数の宛先フィールドを含む第２フレームデータを生成する制御ステップと、
前記第２フレームデータを送信する送信ステップと、
を実行させ、
前記制御ステップは、前記記憶ステップで記憶された複数の宛先グループＩＤそれぞれを、前記第２フレームデータに含まれる複数の宛先フィールドに設定する
プログラム。
【発明の詳細な説明】
【技術分野】
【０００１】
本発明は、時分割多元接続方式を用いて１台の無線通信機が複数のグループの無線通信機と通信する無線通信機及びプログラムに関する。
【背景技術】
【０００２】
１台の無線通信機が他の複数台の無線通信機と通信する通信方法として、時分割多元接続方式（ＴＤＭＡ（Time Division Multiple Access）方式）を用いた通信方法がある。特許文献１には、全二重通信方式によって３者以上がＴＤＭＡ方式を用いて通信する無線通信機が記載されている。
【先行技術文献】
【特許文献】
【０００３】
【特許文献１】特開平４−７２８２９号公報
【発明の概要】
【発明が解決しようとする課題】
【０００４】
例えば、半二重通信方式によって３者以上がＴＤＭＡ方式を用いて通信する場合、全二重通信方式による通信とは異なり、送信者による送信の終了後に受信者が送信者に返信するコールバックが必要となる場合がある。また、複数の無線通信機が１つのグループを構成し、１台の無線通信機が複数のグループの無線通信機と通信することがある。１台の無線通信機が複数のグループの無線通信機とＴＤＭＡ方式を用いて通信する場合、コールバックが適切に行われることが必要である。
【０００５】
本発明は、１台の無線通信機が複数のグループの無線通信機とＴＤＭＡ方式を用いて通信する場合に、コールバックを適切に行うことができる無線通信機及びプログラムを提供することを目的とする。
【課題を解決するための手段】
【０００６】
本発明は、１つのフレームが複数のタイムスロットで構成され、各タイムスロットは宛先グループを示す１つ以上の宛先グループＩＤを含み、１つのフレームが複数の宛先グループＩＤを含む第１フレームデータを受信する受信部と、前記第１フレームデータに含まれる複数の宛先グループＩＤを記憶する記憶部と、コールバックの際に、１つのフレームが複数のタイムスロットで構成され、各タイムスロットは宛先グループを示す１つ以上の宛先フィールドを含み、１つのフレームが複数の宛先フィールドを含む第２フレームデータを生成する制御部と、前記第２フレームデータを送信する送信部とを備え、前記制御部は、前記記憶部に記憶された複数の宛先グループＩＤそれぞれを、前記第２フレームデータに含まれる複数の宛先フィールドに設定する無線通信機を提供する。
【０００７】
本発明は、無線通信機のコンピュータに、１つのフレームが複数のタイムスロットで構成され、各タイムスロットは宛先グループを示す１つ以上の宛先グループＩＤを含み、１つのフレームが複数の宛先グループＩＤを含む第１フレームデータを受信する受信ステップと、前記第１フレームデータに含まれる複数の宛先グループＩＤを記憶する記憶ステップと、コールバックの際に、１つのフレームが複数のタイムスロットで構成され、各タイムスロットは宛先グループを示す１つ以上の宛先フィールドを含み、１つのフレームが複数の宛先フィールドを含む第２フレームデータを生成する制御ステップと、前記第２フレームデータを送信する送信ステップとを実行させ、前記制御ステップは、前記記憶ステップで記憶された複数の宛先グループＩＤそれぞれを、前記第２フレームデータに含まれる複数の宛先フィールドに設定するプログラムを提供する。
【発明の効果】
【０００８】
本発明の無線通信機及びプログラムによれば、１台の無線通信機が複数のグループの無線通信機とＴＤＭＡ方式を用いて通信する場合に、コールバックを適切に行うことができる。
【図面の簡単な説明】
【０００９】
【図１】一実施形態の無線通信機を備える無線通信システムを示す図である。
【図２】一実施形態の無線通信機を示すブロック図である。
【図３】無線通信機のディスプレイに表示される宛先グループリストの一例を示す図である。
【図４】１台の無線通信機がグループ内の他の２台の無線通信機に同報送信する状態を示す概念図である。
【図５】宛先をグループとしたＴＤＭＡ方式の送信データの構造の一例を示す図である。
【図６】１台の無線通信機が２つのグループを対象に同報送信するときのＴＤＭＡ方式の送信データの構造の第１のフレーム構成例を示す図である。
【図７】１台の無線通信機が２つのグループを対象に同報送信するときのＴＤＭＡ方式の送信データの構造の第２のフレーム構成例を示す図である。
【図８Ａ】１台の無線通信機が２つのグループを対象に同報送信する状態を示す概念図である。
【図８Ｂ】１つの無線通信機が２つのグループを対象に無線通信機にコールバックする状態を示す概念図である。
【図９】図８Ｂに示す無線通信機がコールバックするときのＴＤＭＡ方式の送信データの構造の一例を示す図である。
【図１０】一実施形態の無線通信機の受信処理を示すフローチャートである。
【図１１】一実施形態の無線通信機の送信処理を示すフローチャートである。
【図１２】ＴＤＭＡ方式の送信データの構造の変形例を示す図である。
【図１３】図１２に示す変形例による送信及びコールバックの送信データの構造の具体例を示す図である。
【発明を実施するための形態】
【００１０】
以下、一実施形態の無線通信機及びプログラムについて、添付図面を参照して説明する。図１に示すように、一例として、無線通信システムは、複数の無線通信機１００と、基地局２００Ａ及び２００Ｂとを備える。基地局２００Ａ及び２００Ｂはネットワーク３００を介して接続されている。
【００１１】
複数の無線通信機１００は、基地局２００Ａまたは２００Ｂを介して互いに通信することがあり、複数の無線通信機１００は、基地局２００Ａ及び２００Ｂ及びネットワーク３００を介して互いに通信することがある。複数の無線通信機１００が、基地局２００Ａまたは２００Ｂを介することなく互いに直接通信してもよい。即ち、無線通信システムは基地局を含まなくてもよい。無線通信機１００は移動局である。なお、本実施形態の無線通信機を備える無線通信システムにおける通信方法は、宛先毎に１タイムスロットを使用する１対多の半二重通信方式であるが、これに限定されるものではない。
【００１２】
複数の無線通信機１００が１つのグループを構成することがある。１台の無線通信機が１つのグループのみに属することがあり、１台の無線通信機が複数のグループに属することがある。なお、どのグループにも属さない無線通信機が存在してもよい。
【００１３】
無線通信機１００は、図２に示すように構成される。図２において、制御部１は、無線通信機１００の全体を制御する。制御部１は、マイクロコンピュータまたは中央処理装置（ＣＰＵ）によって構成することができる。制御部１は、ＲＡＭ１ａ及びタイマ１ｂを有する。ＲＡＭ１ａは制御部１に対して外付けされていてもよいし、タイマ１ｂは制御部１の外部に設けられていてもよい。ＲＡＭ１ａは、記憶部であるとも言えるので、制御部１は記憶部を含んでいてもよい。制御部１は、自局の無線通信機１００を一意に識別するためのＩＤ（識別符号）を保持している。
【００１４】
制御部１には、ＤＳＰ（Digital Signal Processor）４が接続されている。ＤＳＰ４には、送受信部２とマイクロホン５とスピーカ６が接続されている。送受信部２には、電波を送受信するためのアンテナ３が接続されている。送受信部２は、送信部と受信部とが一体的に構成された回路ブロックである。送受信部２は、半二重通信方式で他の無線通信機１００へと音声データを含む送信データを送信する。送受信部２は、半二重通信方式で他の無線通信機１００が送信した音声データを含む送信データを受信する。
【００１５】
送受信部２が受信したデータはＤＳＰ４に供給される。ＤＳＰ４は、受信したデータを復調及び復号する。ＤＳＰ４は、受信したデータのうち音声データを復調及び復号することによって生成した音声信号をスピーカ６に供給する。マイクロホン５は、無線通信機１００のユーザが発した音声を収音して音声信号に変換し、音声信号をＤＳＰ４に供給する。ＤＳＰ４は、入力された音声信号に帯域制限等の各種の処理を施して変調波を生成して、送受信部２に供給する。送受信部２は、ＤＳＰ４から供給された変調波により搬送波を変調して、アンテナ３を介して送信する。
【００１６】
制御部１には、さらに、ＲＯＭ７、不揮発性メモリ８、ディスプレイ９、ＰＴＴ（Push To Talk）スイッチ１０、操作部１１が接続されている。ＲＯＭ７には、無線通信機１００がＴＤＭＡ方式を用いて他の複数の無線通信機１００と通信するための後述する処理を実行するコンピュータプログラム（無線通信プログラム）が記憶されている。ＲＯＭ７は、制御部１に内蔵されていてもよい。
【００１７】
不揮発性メモリ８は、通信する他の無線通信機１００を指定するための通信先情報を記憶する。通信先情報は、通信する他の無線通信機１００のＩＤ（移動局ＩＤ）と、各無線通信機１００に設定された名称（移動局名）とを関連付けた情報を含む。移動局ＩＤは、ユーザにとって分かり難い記号や数字になることが多いため、ユーザにとって分かり易い名称を移動局名として使用してもよい。ただし、移動局名を省略することも可能である。
【００１８】
また、不揮発性メモリ８は、通信先情報として、複数の無線通信機１００を含むグループの情報を記憶する。各グループの情報は、グループを識別するためのグループＩＤと、グループの名称（グループ名）と、各グループに含まれる無線通信機１００のＩＤを含む。但し、グループ名の記憶を省略することも可能である。不揮発性メモリ８は、例えば、EEPROM（Electrically Erasable Programmable Read Only Memory）である。ディスプレイ９は、各種の情報を表示する。
【００１９】
ユーザが発話して音声信号を送信するとき、ユーザはＰＴＴスイッチ１０を押す。制御部１は、ＰＴＴスイッチ１０が押されていない状態では無線通信機１００を受信待機状態とし、ＰＴＴスイッチ１０が押されている状態では無線通信機１００を送信状態とする。操作部１１は、各種の操作ボタンを含む。操作部１１は、ディスプレイ９と一体化されたタッチパネルであってもよい。また、ＰＴＴスイッチ１０と操作部１１とを必ずしも分ける必要はなく、ＰＴＴスイッチ１０は操作部１１の一部であってもよい。例えば、タッチパネルを用いて、ＰＴＴスイッチ１０と同様な機能を実現してもよい。
【００２０】
図２において、白抜きの矢印は、構成要素間を接続するバスを示している。バスの代わりに通常の信号接続線を用いることがあってもよい。
【００２１】
図３は、不揮発性メモリ８に記憶されている通信先情報に基づき、ディスプレイ９に表示された宛先グループリスト９０Ｇの一例を示す。図３に示すように、リストの番号（Ｎｏ．）と、宛先を設定するチェックボックスと、グループ名とが関連付けられて表示される。
【００２２】
操作部１１によって宛先グループリスト９０Ｇを表示する指示がなされると、制御部１はディスプレイ９に宛先グループリスト９０Ｇを表示させる。図３に示す例では、無線通信機１００のユーザによって、音声を送信する宛先であるグループとしてＮｏ．２とＮｏ．３の無線通信機１００が設定されている。チェックボックスのチェックマークは宛先として設定されていることを示す。
【００２３】
宛先グループリスト９０Ｇにおける通信先情報は、無線通信機１００を使用する前に予め、パーソナルコンピュータのアプリケーションプログラムを用いて、不揮発性メモリ８に書き込まれていてもよい。
【００２４】
図４において、無線通信機１００Ａ、１００Ｂ、及び１００Ｃは、図１に示す無線通信機１００のうちのいずれかの無線通信機１００である。無線通信機１００Ａ、１００Ｂ、及び１００Ｃは、基地局２００Ａまたは２００Ｂの同一の基地局下の３つの無線通信機１００であってもよいし、ネットワーク３００を介して互いに通信する異なる基地局下の３つの無線通信機１００であってもよい。
【００２５】
図４において、無線通信機１００Ａはグループ１とグループ５とに属し、無線通信機１００Ｂはグループ１とグループ３とに属し、無線通信機１００Ｃはグループ１とグループ４とに属しているとする。無線通信機１００Ａがグループ１を指定して音声信号を送信すると、無線通信機１００Ｂ及び１００Ｃはグループ１に含まれているため、音声信号を受信する。無線通信機１００Ａがグループ５を指定して音声信号を送信すると、無線通信機１００Ｂ及び１００Ｃはグループ５に含まれていないため、音声信号を受信することができない。
【００２６】
無線通信機１００は、図５に示すような、ＴＤＭＡ方式のフレームのタイムスロット構造を有するフレームデータ（タイムスロットデータ）を複数のグループに対して同報送信する。タイムスロットをスロットと略記することがある。図５に示すように、各フレームはスロット１〜スロットｎのｎ個のスロットを含む。各フレームがｎ個のスロットを含めば、無線通信機１００は、ｎ個のグループに対して同報送信することが可能となる。ｎは２以上の整数である。各スロットは、送信元ＩＤと、宛先グループＩＤと、音声データとを含む。本実施形態においては、各フレームが２スロットである場合を例とする。送信元ＩＤは、送信元の無線通信機１００の移動局ＩＤであるが、省略されてもよい。
【００２７】
図４に示す無線通信機１００Ａに付与されているＩＤは００１００ａであるとする。グループ１及び２のグループＩＤはそれぞれＧ０００１及びＧ０００２であるとする。図５に示すように、第１のフレーム構成例では、１つのフレームがｎ個（複数）のスロットで構成されており、各スロットは、「送信元ＩＤ」フィールドと、「宛先グループＩＤ（宛先）」フィールドと、「音声データ」フィールドの各フィールドで構成される。各スロットは、１つの宛先グループＩＤを含むため、１つのフレームはｎ個の宛先グループＩＤを含む。
【００２８】
図６は、宛先グループＩＤに複数のグループＩＤを設定する場合の第１のフレーム構成例を示している。図６に示すように、無線通信機１００Ａは、スロット１の送信元ＩＤに自局のＩＤである００１００ａを設定し、宛先グループＩＤに無線通信機１００Ａが属しているグループ１のグループＩＤであるＧ０００１を設定する。また、無線通信機１００Ａは、スロット２の送信元ＩＤに自局のＩＤである００１００ａを設定し、宛先グループＩＤにグループ２のグループＩＤであるＧ０００２を設定する。
【００２９】
無線通信機１００ＡのユーザがＰＴＴスイッチ１０を押して、グループ１及び２に含まれる無線通信機１００に音声を送信するとき、無線通信機１００Ａは、送信元ＩＤと宛先グループＩＤとを含むヘッダ及び音声データを含むスロット１及び２で構成される各フレームのデータを送信する。各フレームにおけるスロット１及び２に配置されている音声データは同じ音声データである。
【００３０】
無線通信機１００Ａのユーザが音声の送信を継続すれば、無線通信機１００Ａは図６に示す構造のフレームを連続的に送信する。グループ１及び２に含まれる無線通信機１００は、無線通信機１００Ａが送信した信号を送受信部２で受信しＤＳＰ４で復調する。制御部１は、ＤＳＰ４が復調したヘッダの宛先グループＩＤに自局が属しているグループＩＤが設定されているスロットの音声データを復調するよう指示する。制御部１は、ヘッダの宛先グループＩＤに自局のＩＤが設定されていないスロットの音声データは復調しなくてもよいが、後述する信号の受信終了後のコールバックのため宛先グループＩＤを抽出して記憶する。
【００３１】
図７に示す第２のフレーム構成例のように、各スロットのヘッダに複数の宛先グループＩＤ（宛先グループ１のグループＩＤ及び宛先グループ２のグループＩＤ）を登録できるようにしてもよい。図７に示す例では、各スロットのデータは、先頭から、送信元ＩＤ、宛先グループ１（宛先１）のグループＩＤ、宛先グループ２（宛先２）のグループＩＤ、音声データの順に配置されている。
【００３２】
図７において、スロット１の送信元ＩＤとして無線通信機１００ＡのＩＤである００１００ａ、宛先グループ１のグループＩＤとしてグループ１のグループＩＤであるＧ０００１、宛先グループ２のグループＩＤとしてグループ２のグループＩＤであるＧ０００２が設定されている。また、スロット２の送信元ＩＤとして００１００ａ、宛先グループ１のグループＩＤとしてＧ０００２、宛先グループ２のグループＩＤとしてＧ０００１が設定されている。
【００３３】
図５に示した場合と同様に、１つのフレームがｎ個（複数）のスロットで構成されており、各スロットは、「送信元ＩＤ」フィールドと、ｎ個の「宛先グループＩＤ（宛先）」フィールドと、「音声データ」フィールドの各フィールドで構成される。図７に示すように、第２のフレーム構成例では、各スロットはｎ個の宛先グループＩＤを含むため、１つのフレームは（ｎ×ｎ）個の宛先グループＩＤを含む。
【００３４】
第２のフレーム構成例において、ヘッダ内の２つの宛先グループＩＤを区別し、所定の順序でスロットに配置することが望ましい。例えば、スロット１の宛先１をグループ１にし、宛先２をグループ２にした場合、スロット２の宛先１をグループ２にし、宛先２をグループ１にするとよい。即ち、スロット１の宛先１とスロット２の宛先２が同じになり、スロット１の宛先２とスロット２の宛先１が同じになるようにするとよい。つまり、ｎ個のスロットに含まれる１番目（先頭）の宛先フィールドにそれぞれ異なる宛先グループＩＤを設定するとよい。また、送信元の無線通信機１００が属するグループのグループＩＤを優先的にスロット１の宛先にしてもよい。
【００３５】
このようなデータを受信した無線通信機１００は、スロット１に含まれる宛先グループ１のグループＩＤが、自局が含まれるグループＩＤと一致するか否かを判定し、一致する場合には、スロット１の音声データを復調して出力し、スロット２のデータに関しては処理を行わない。スロット１に含まれる宛先グループ１のグループＩＤが、自局が含まれるグループＩＤと一致しない場合には、スロット２に含まれる宛先グループ１のグループＩＤが、自局が含まれるグループＩＤと一致するか否かを判定し、一致する場合には、スロット２の音声データを復調して出力する。
【００３６】
図６に示す第１のフレーム構成例及び図７に示す第２のフレーム構成例のように、１フレームのｎ個のタイムスロットが、宛先を識別するための宛先グループＩＤとして、送信先となっているｎ個のグループの全てのグループＩＤを含めばよい。第１のフレーム構成例は、各タイムスロットに送信先の１つずつのグループＩＤを設定することによって、ｎ個のタイムスロットの全体でｎ個のグループの全てのグループＩＤを設定する例である。第２のフレーム構成例は、各タイムスロットに全てのグループＩＤを設定する例である。
【００３７】
図６または図７に示すフレームデータを受信したグループ１の無線通信機１００は、スロット１の音声データのみをＤＳＰ４によって復調及び復号すればよく、グループ２の無線通信機１００は、スロット２の音声データのみをＤＳＰ４によって復調及び復号すればよい。
【００３８】
各グループに属する無線通信機１００の制御部１は、ＲＡＭ１ａに、スロット１及び２に設定されている送信元ＩＤと、各スロット（ここではスロット１及び２）の宛先グループＩＤに設定されているグループＩＤとを記憶させる。制御部１は、宛先グループＩＤに設定されているグループＩＤをＲＡＭ１ａに記憶させる際に、宛先グループＩＤと対応するタイムスロット番号を共に記憶させてもよい。ＲＡＭ１ａは送信元ＩＤとグループＩＤとを記憶する記憶部の一例である。
【００３９】
制御部１は、宛先グループＩＤに設定されているグループＩＤによって自局が属するグループが宛先となっていると判定したとき、自局宛ての通信であることを示すフラグ（以下、自局宛てフラグ）をＲＡＭ１ａに記憶させる。ＤＳＰ４は、ＲＡＭ１ａに自局宛てフラグが記憶されているときに、音声データを復調する。なお、全てのスロットを受信した後、いずれのスロットにおいても自局が属するグループが宛先に指定されていないことが判明した場合には、ＲＡＭ１ａに送信元ＩＤとグループＩＤとを記憶させた場合にはそれらを削除してもよい。
【００４０】
図８Ａに示すように、無線通信機１００Ａ、１００Ｂ、及び１００Ｃがグループ１に属し、無線通信機１００Ｄ、１００Ｅ、及び１００Ｆがグループ２に属しているとする。図６または図７のように宛先グループＩＤにグループ１及び２のグループＩＤを設定することにより、図８Ａに示すような無線通信機１００Ａからグループ１及び２の無線通信機１００への同報送信が実現される。
【００４１】
無線通信機１００ＡのユーザがＰＴＴスイッチ１０を開放して、送信データの送信を終了したとする。無線通信機１００Ｄのユーザが、タイマ１ｂで設定された所定の時間内にＰＴＴスイッチ１０を押して、グループ１及び２の無線通信機１００にコールバックを行う場合の動作を以下に説明する。コールバックとは、受信終了後に送信していた相手に対して速やかに応答することを意味する。本実施形態においてはグループ通話を想定しているので、送信元が音声信号を送信していた全てのグループの無線通信機１００に対して応答することを意味する。なお、コールバックを「返信」あるいは「折り返し通信」と呼ぶ場合もある。後述するように、コールバックは音声通話に限定されるものではなく、テキストメッセージ通信等における返信を含む概念である。
【００４２】
無線通信機１００Ｄのユーザがコールバックを行った場合、図８Ｂに示すような無線通信機１００Ｄからグループ１及び２の無線通信機１００への同報送信が実現されることが必要である。このとき、同報送信先の設定が適切になされることが望ましい。
【００４３】
図９に示すように、無線通信機１００Ｄは、スロット１の送信元ＩＤに自局のＩＤである００１００ｄを設定し、宛先グループＩＤにグループ１のグループＩＤであるＧ０００１を設定する。また、無線通信機１００Ｄは、スロット２の送信元ＩＤに自局のＩＤである００１００ｄを設定し、宛先グループＩＤにグループ２のグループＩＤであるＧ０００２を設定する。無線通信機１００Ｄは、スロット１及び２に、コールバックの音声の音声データを配置する。なお、図７に示すように、１つのスロット内で複数の宛先を指定する第２のフレーム構成例を用いて、コールバックすることも可能である。
【００４４】
このように、無線通信機１００ＤのユーザがＰＴＴスイッチ１０を押して、グループ１及び２の無線通信機１００にコールバックの音声を送信するとき、無線通信機１００Ｄは、図９に示すように送信元ＩＤ、宛先グループＩＤ、及び音声データを含むスロット１及び２よりなる各フレームのフレームデータを送信データとして送信する。図６と同様に、各フレームにおけるスロット１及び２の音声データは同じ音声データである。
【００４５】
以上のように、無線通信機１００は、自局が属するグループと他のグループとを含む複数のグループに属する複数の無線通信機１００に同報送信するとき、図６に示す第１のフレーム構成例を用いる場合には、ｎ個のスロットの各スロットの宛先グループＩＤに、複数のグループのグループＩＤを１つずつ設定する。または、無線通信機１００は、ｎ個のスロットの各スロットのｎ個の宛先グループＩＤに、複数のグループの全てのグループＩＤを設定する。
【００４６】
コールバックする無線通信機１００は、受信したｎ個のスロットの宛先それぞれを、送信するｎ個のスロットの宛先に指定する。例えば、受信したスロット１の宛先を送信するスロット１の宛先に指定し、受信したスロット２の宛先を送信するスロット２の宛先にしてもよい。また、送信元の無線通信機１００が属するグループのグループＩＤを優先的にスロット１の宛先にしてもよい。
【００４７】
図７に示す第２のフレーム構成例を用いてもよい。この場合、コールバックする無線通信機１００は、ｎ個のスロットの各スロットにおいて、ＲＡＭ１ａに記憶された複数のグループＩＤのうちいずれか１つのグループＩＤを宛先グループ１に設定し、他のグループＩＤを宛先グループ２以降に設定する。
【００４８】
但し、ｎ個のスロットの宛先１（宛先グループ１）は、それぞれ異なるように設定することが望ましい。例えば、スロット１の宛先１をグループ１にし、宛先２をグループ２にした場合、スロット２の宛先１とグループ２にし、宛先２をグループ１にすることが望ましい。
【００４９】
なお、タイマ１ｂで設定された所定の時間内にＰＴＴスイッチ１０が押されなかった場合、制御部１は、コールバックの処理を終了する。コールバックの処理終了後にＰＴＴスイッチ１０が押された場合の処理は、特に定めない。
【００５０】
これにより、本実施形態によれば、半二重通信方式によって１台の無線通信機１００が複数のグループを対象にＴＤＭＡ方式を用いて通信する場合に、コールバックを適切に行うことができる。
【００５１】
図１０に示すフローチャートを用いて、無線通信機１００の受信処理を説明する。図１０において、受信処理が開始されると、制御部１は、ステップＳ１０１にて、ＲＡＭ１ａに自局宛てフラグが記憶されている場合、自局宛てフラグをリセットする。例えば、制御部１は、ＲＡＭ１ａに値０を書き込んでＲＡＭ１ａを初期化する。制御部１は、ステップＳ１０２にて、フレームデータ（第１フレームデータ）を受信したか否かを判定する。
【００５２】
ステップＳ１０２にてフレームデータを受信すれば（YES）、制御部１は、ステップＳ１０３にて、送信元ＩＤと宛先グループＩＤをＲＡＭ１ａに記憶させる。ステップＳ１０２は受信ステップを含み、ステップＳ１０３は記憶ステップを含む。制御部１は、ステップＳ１０４にて、処理対象のフレームであるか否かを判定する。制御部１は、自局が宛先グループＩＤのグループに属していれば処理対象のフレームであると判定し、属していなければ処理対象のフレームではないと判定する。
【００５３】
なお、送信元の無線通信機１００が、タイムスロット番号が小さいほど小さい番号のグループＩＤを割り当て、ｎ個のスロットにグループＩＤを昇順に設定すれば、制御部１が処理対象のフレームであるか否かを即座に判定できる場合がある。例えば、スロット１にグループ５のグループＩＤであるＧ０００５が設定されており、自局がグループ３に属している場合、制御部１はスロット１に設定されているグループＩＤを認識した時点で処理対象のフレームでないと判定することができる。この場合、ＲＡＭ１ａに不必要なデータを記憶させる必要がないので、受信処理が簡略化される。ｎ個のスロットにグループＩＤを降順に設定した場合には、フレーム内のグループＩＤの最小値から順に自局が属しているグループのグループＩＤと比較すればよい。
【００５４】
ステップＳ１０４にて処理対象のフレームであれば（YES）、制御部１は、ステップＳ１０５にて、ＲＡＭ１ａに自局宛てフラグを記憶させる。続けて、制御部１は、ステップＳ１０６にて、音声データを再生するよう制御して、処理をステップＳ１０２に戻す。
【００５５】
一方、ステップＳ１０２にてフレームデータを受信しなければ（NO）、また、ステップＳ１０４にて処理対象のフレームでなければ（NO）、ステップＳ１０７にて、ＲＡＭ１ａに自局宛てフラグが記憶されているか否かを判定する。ＲＡＭ１ａに自局宛てフラグが記憶されていなければ（NO）、制御部１は処理をステップＳ１０２に戻す。ＲＡＭ１ａに自局宛てフラグが記憶されていれば（YES）、制御部１は、ステップＳ１０８にて、タイマ１ｂによるコールバックタイマを起動して処理を終了させる。
【００５６】
次に、図１１に示すフローチャートを用いて、無線通信機１００の送信処理を説明する。制御部１は、ステップＳ１１１にて、ＰＴＴスイッチ１０が押されたか否かを判定する。ＰＴＴスイッチ１０が押されなければ（NO）、制御部１はステップＳ１１１の処理を繰り返す。
【００５７】
ステップＳ１１１にてＰＴＴスイッチ１０が押されれば（YES）、制御部１は、ステップＳ１１２にて、コールバックであるか否かを判定する。制御部１は、図１０のステップＳ１０８にて起動したコールバックタイマが満了する前にＰＴＴスイッチ１０が押されればコールバックであると判定し、満了した後にＰＴＴスイッチ１０が押されればコールバックではないと判定する。
【００５８】
ステップＳ１１２にてコールバックであれば（YES）、制御部１は、ステップＳ１１３にて、ＲＡＭ１ａに記憶されている各グループのグループＩＤそれぞれを、フレームデータ（第２フレームデータ）の各スロットの宛先グループＩＤに設定する（制御ステップ）。
【００５９】
このフレームデータは、図６に示す第１のフレーム構成例、または図７に示す第２のフレーム構成例で示す構成である。例えば、ＲＡＭ１ａ（記憶部）が「グループ１」、「グループ２」、「グループ３」の３つのグループＩＤを記憶し、１つのフレームが３つのスロットを含み、各スロットが３つの宛先フィールドを有する場合、スロット１の宛先１に「グループ１」、宛先２に「グループ２」、宛先３に「グループ３」を設定する。また、スロット２の宛先１に「グループ２」、宛先２に「グループ１」、宛先３に「グループ３」を設定する。また、スロット３の宛先１に「グループ３」、宛先２に「グループ１」、宛先３に「グループ２」を設定する。
【００６０】
また、制御部１は、ステップＳ１１３にて、フレームデータの各スロットの送信元ＩＤに、自局の移動局ＩＤを設定する（制御ステップ）。続けて、制御部１は、ステップＳ１１７にて、マイクロホン５で収音した音声の音声データを含むフレームデータを生成して送信するよう送受信部２を制御する（制御ステップ）。送受信部２は、フレームデータ（第２フレームデータ）を送信する（送信ステップ）。
【００６１】
制御部１は、ステップＳ１１８にて、ＰＴＴスイッチ１０が開放されたか否かを判定する。ＰＴＴスイッチ１０が開放されなければ（NO）、制御部１はステップＳ１１７及びＳ１１８の処理を繰り返し、ＰＴＴスイッチ１０が開放されれば（YES）、制御部１は処理を終了させる。
【００６２】
一方、ステップＳ１１２にてコールバックでなければ（NO）、制御部１は、ステップＳ１１４にて、警告音等で宛先ＩＤの設定がなされていない旨を警告報知し、ユーザにＰＴＴスイッチ１０の開放を促す。制御部１は、ステップＳ１１５にて、ＰＴＴスイッチ１０が開放されたか否かを検出する。ステップＳ１１５にてＰＴＴスイッチ１０の開放が検出された場合（YES）、制御部１は、ステップＳ１１６にて、警告報知を解除し、無線通信機１００を受信待ち受け状態に設定する。ユーザが新たに音声信号を送信する場合には、上記したように新たに、ユーザが宛先ＩＤを設定する。なお、コールバックがなされなかった場合の処理は、任意でよく、ディスプレイ９に新たに宛先を設定するよう促す表示を行ってもよい。
【００６３】
フレーム構造の変形例を図１２に示す。図１２に示すように、このフレーム構造は、１フレームがｎ個（ｎは２以上）のスロットで構成されており、各スロットには、「送信元ＩＤ」と、「宛先種別」と、ｍ個（ｍは１以上）の「宛先ＩＤ（宛先）」と、「音声データ」の各フィールドが存在する。つまり、各スロットに「宛先種別」フィールドがあること、及び、ｍ個の「宛先ＩＤ（宛先）」フィールドがあることを特徴とする。
【００６４】
宛先種別は、宛先フィールドの種別（種類）を示す情報であり、宛先フィールドに個々の無線通信機１００の移動局ＩＤを指定する場合に「１」、宛先フィールドにグループのグループＩＤを指定する場合に「２」となる。以下では、簡略化のため、宛先種別「１」を「個別」、宛先種別「２」を「グループ」と呼ぶ場合もある。宛先種別は、「通話種別」あるいは「通信種別」とも呼ばれる。
【００６５】
本変形例では、全スロットで同じ宛先種別を設定してもよいが、スロットごとに異なる宛先種別を設定することも可能である。「宛先ＩＤ」フィールドは、「宛先種別」フィールドの値によって、設定される情報が変わる。宛先種別が「１」の「個別」の場合、宛先ＩＤフィールドには、通信相手の無線通信機１００を示す移動局ＩＤが１つ以上設定される。宛先の移動局ＩＤは１つであっても複数であってもよい。宛先種別が「２」のグループの場合、宛先ＩＤフィールドには、通話相手となるグループのグループＩＤが１つ以上設定される。宛先のグループＩＤは１つであっても複数であってもよい。
【００６６】
図１３を用いて、図１２に示す変形例による送信及びコールバックを具体的に説明する。図１３において、（ａ）は、送信元が無線通信機１００Ａで、スロット１の宛先種別が個別「１」で、送信先が無線通信機１００Ｅ及び１００Ｆ、スロット２の宛先種別がグループ「２」で、送信先のグループがグループ１である場合を示す。無線通信機１００Ａ、１００Ｅ、及び１００Ｆの移動局ＩＤはそれぞれ００１００ａ、００１００ｅ、及び００１００ｆである。つまり、スロット１において、２つの無線通信機１００が宛先として指定され、スロット２において、１つのグループが指定されているため、この２つの無線通信機１００及び１つのグループに通話が送信される。
【００６７】
図１３の（ｂ）は、グループ１に属している無線通信機１００Ｂが図１３の（ａ）に示す送信データを受信して、コールバックした場合の送信データを示す。スロット１は、送信元ＩＤとして００１００ｂ、宛先種別として１、宛先ＩＤとして００１００ａ、００１００ｅ及び００１００ｆ、音声データを含む。スロット２は、送信元ＩＤとして００１００ｂ、宛先種別として２、宛先グループＩＤとしてＧ０００１、音声データを含む。
【００６８】
宛先種別が個別のスロットの宛先に該当せず、宛先種別がグループのスロットの宛先に該当する無線通信機１００がコールバックする際には、宛先種別が個別のスロットに含まれる送信元ＩＤと全ての宛先ＩＤ（移動局ＩＤ）を、コールバックのスロット（宛先種別が個別のスロット）の宛先ＩＤに設定する。宛先種別がグループのスロットについては、受信したスロットの宛先ＩＤ（グループＩＤ）をそのまま宛先ＩＤに設定する。無線通信機１００Ａがグループ１に所属している場合、図１３の（ｂ）のフレームを受信した無線通信機１００Ａでは、スロット１とスロット２の両方が自局宛てのスロットになるが、そのような場合、「宛先種別が個別のスロットを優先的に復調する」等の所定のルールに基づいて、１つのスロットの音声データのみを復調し出力すればよい。
【００６９】
図１３の（ｃ）は、無線通信機１００Ｅが図１３の（ａ）に示す送信データを受信して、コールバックした場合の送信データを示す。スロット１は、送信元ＩＤとして００１００ｅ、宛先種別として１、宛先ＩＤとして００１００ａ及び００１００ｆ、音声データを含む。送信元ＩＤとして００１００ｅを含むので、宛先ＩＤとしての００１００ｅは不要である。スロット２は、送信元ＩＤとして００１００ｅ、宛先種別として２、宛先グループＩＤとしてＧ０００１、音声データを含む。
【００７０】
宛先種別が個別のスロットの宛先に該当する無線通信機１００がコールバックする際には、宛先種別が個別のスロットに含まれる送信元ＩＤと、自局以外の全ての宛先ＩＤ（移動局ＩＤ）を、コールバックのスロット（宛先種別が個別のスロット）の宛先ＩＤに設定する。宛先種別がグループのスロットについては、受信したスロットの宛先ＩＤ（グループＩＤ）をそのまま宛先ＩＤに設定する。
【００７１】
図１３の（ｄ）は、グループ１に属している無線通信機１００Ｃが図１３の（ｃ）に示す送信データを受信して、コールバックした場合の送信データを示す。スロット１は、送信元ＩＤとして００１００ｃ、宛先種別として１、宛先ＩＤとして００１００ａ、００１００ｅ及び００１００ｆ、音声データを含む。スロット２は、送信元ＩＤとして００１００ｃ、宛先種別として２、宛先グループＩＤとしてＧ０００１、音声データを含む。
【００７２】
ここでは、図１３の（ｃ）において宛先種別がグループのスロット（グループ１）の宛先に該当する無線通信機１００Ｅがコールバックするため、宛先種別が個別のスロットに含まれる送信元ＩＤと全ての宛先ＩＤ（移動局ＩＤ）を、コールバックのスロット（宛先種別が個別のスロット）の宛先ＩＤに設定している。以上が変形例の説明である。
【００７３】
本実施形態によれば、複数のグループを宛先に指定した通話を容易に行うことができる。このため、災害現場等において、警察グループと消防グループなど複数のグループを一時的に連携させることを迅速に実現できる。また、コールバックする際に、ユーザは宛先を指定する必要がないため、ユーザの利便性が高い。また、図１２及び図１３に示す変形例によれば、１つ以上の無線通信機１００と、１つ以上のグループとを任意に組み合せた宛先を指定できるため、複数の無線通信機１００に対する情報伝達をさらに効率的に行うことができる。例えば、グループに属していない複数の無線通信機１００と、複数のグループに同じ情報を伝達したい場合、従来技術では多数回の通話を行う必要があったが、本変形例によれば、１回の通話で済む。このため、ユーザの利便性が高い。
【００７４】
本発明は以上説明した本実施形態に限定されるものではなく、本発明の要旨を逸脱しない範囲において種々変更可能である。本実施形態では、タイムスロット内に音声データが含まれるものとしたが、音声データではなく、テキストデータが含まれていてもよい。
【００７５】
例えば、テキストデータを受信した無線通信機は、ディスプレイ（表示部）にその内容を表示してもよい。また、コールバックまたは新規発信をする際に、ユーザが操作部を操作することにより、定型のテキストメッセージあるいは任意のテキストメッセージを入力できるようにしてもよい。例えば、テキストメッセージを受信した無線通信機において、テキストメッセージを受信あるいは表示した時点から所定時間以内に返信操作が行われた場合に、コールバックの操作（返信の操作）が行われたと判定し、音声通話のコールバックと同様に、宛先フィールドを自動的に設定してテキストメッセージ（返信メッセージ）を送信してもよい。
【００７６】
つまり、コールバックという概念は、音声通話に限らず、テキストメッセージ通信または映像通信においても適用される。また、テキストメッセージ通信または映像通信は、半二重通信であっても、全二重通信であってもよい。即ち、音声通話を行う無線通信システムに限らず、テキストメッセージまたは映像データを交換する無線通信システムにも本発明を適用することができる。
【符号の説明】
【００７７】
１  制御部
１ａ  ＲＡＭ（記憶部）
１ｂ  タイマ
２  送受信部（送信部，受信部）
１０  ＰＴＴスイッチ
１００，１００Ａ，１００Ｂ，１００Ｃ，１００Ｄ，１００Ｅ，１００Ｆ  無線通信機
２００Ａ，２００Ｂ  基地局
３００  ネットワーク
【図１】
2020155943.tif 000003
【図２】
2020155943.tif 000004
【図３】
2020155943.tif 000005
【図４】
2020155943.tif 000006
【図５】
2020155943.tif 000007
【図６】
2020155943.tif 000008
【図７】
2020155943.tif 000009
【図８Ａ】
2020155943.tif 000010
【図８Ｂ】
2020155943.tif 000011
【図９】
2020155943.tif 000012
【図１０】
2020155943.tif 000013
【図１１】
2020155943.tif 000014
【図１２】
2020155943.tif 000015
【図１３】
2020155943.tif 000016